(57)【要約】【課題】自身所有の携帯機の管理記号をユーザに覚えさせることが可能なドア施解錠制御装置を提供すること。【解決手段】ドアに対して８個の携帯機２（２Ａ〜２Ｈ）が登録されている。ＣＰＵ４１は、登録済の携帯機２を携帯機２毎に個別の管理記号を用いて管理する。例えば、携帯機２Ａは、管理記号「１」で管理される。ＣＰＵ４１は、携帯機２Ａが供されてドアが解錠されたとき、室内操作盤５０の７セグメントＬＥＤ５３を通じて、携帯機２Ａの管理記号「１」を表示する。【選択図】図１
2008255712.tif 000002
【特許請求の範囲】
【請求項１】
ドアに対して携帯機が登録されて以後、登録済の携帯機が利用されたとき、ドアの施解錠を許可するドア施解錠制御装置において、
ドアに対して複数の携帯機が登録されるとともに、当該ドア施解錠制御装置は、登録済の携帯機を携帯機毎に個別の管理記号を用いて管理し、
当該ドア施解錠制御装置は、登録済の携帯機が利用されたとき、その携帯機の管理記号を報知する報知手段を備えていることを特徴とするドア施解錠制御装置。
【請求項２】
請求項１に記載のドア施解錠制御装置において、
登録済の携帯機が利用されることでドアの解錠が許可されたとき、そのドアを介した室外から室内への進入が許容されるとともに、こうした入室後に室内側から前記ドアを施錠する目的でユーザが用いる室内側施錠用途手段に前記報知手段が設けられ、
前記報知手段は、該入室に先立って登録済の携帯機が利用されたとき、その携帯機が利用されてから前記室内側施錠用途手段が用いられるまでの期間に亘って、その携帯機の管理記号を報知することを特徴とするドア施解錠制御装置。
【請求項３】
請求項２に記載のドア施解錠制御装置において、
前記室内側施錠用途手段に設けられる前記報知手段は、前記携帯機の管理記号を表示により報知する表示手段であることを特徴とするドア施解錠制御装置。
【請求項４】
請求項１〜請求項３のいずれか１項に記載のドア施解錠制御装置において、
登録済の携帯機によるドアの施解錠を許容、つまり登録済の携帯機の登録を有効にするとともに、登録済の携帯機によるドアの施解錠を一時的に禁止、つまり登録済の携帯機の登録を一時的に無効にする登録有効／無効設定手段を備えていることを特徴とするドア施解錠制御装置。
【発明の詳細な説明】
【技術分野】
【０００１】
本発明は、ドアの施解錠を制御するドア施解錠制御装置に関する。
【背景技術】
【０００２】
特許文献１には、ユーザが所持する携帯機とドア側に設けられる送受信機との間で双方向通信を行うとともに、それを通じてドアの解錠を許可する、いわゆるスマートシステムに関する技術が開示されている。尚、特許文献１のスマートシステムは、ドアに適合する携帯機がドア周辺の所定領域に持ち込まれたとき、ドアの解錠を許可することに留まらず、ドアを自動的に解錠するとともにドアを自動的に開ける自動ドアに適用されている。
【０００３】
そして、こうしたシステムでは、１枚のドアに対して複数の携帯機が登録されるとともに、ドア側では、その登録順に割り振られた管理番号を用いて携帯機がドアに適合するものとして管理されるようになっている。そして、ユーザ側では、家族を構成する複数の人が１人１個ずつ携帯機を所有するとともに、それらの携帯機をドアに対して登録して以後、各自が自身所有の携帯機を用いることで、ドアを介した入退室を行えるようになっている。
【特許文献１】特開２００３−３０７０７８号公報（段落番号０００６）
【発明の開示】
【発明が解決しようとする課題】
【０００４】
しかしながら、登録済の携帯機のいずれかを紛失した場合、その携帯機の登録を抹消する必要があるが、ユーザにしてみれば、その携帯機の管理番号が分からず、よって一旦全ての携帯機の登録を抹消しなければならない。また、その後で、残りの携帯機を登録し直さなくてはならない。
【０００５】
本発明は、このような問題点に着目してなされたものであって、その目的は、自身所有の携帯機の管理記号をユーザに覚えさせることが可能なドア施解錠制御装置を提供することにある。
【課題を解決するための手段】
【０００６】
上記の目的を達成するために、請求項１に記載の発明は、ドアに対して携帯機が登録されて以後、登録済の携帯機が利用されたとき、ドアの施解錠を許可するドア施解錠制御装置において、ドアに対して複数の携帯機が登録されるとともに、当該ドア施解錠制御装置は、登録済の携帯機を携帯機毎に個別の管理記号を用いて管理し、当該ドア施解錠制御装置は、登録済の携帯機が利用されたとき、その携帯機の管理記号を報知する報知手段を備えていることをその要旨としている。
【０００７】
同構成によると、登録済の携帯機が利用されたとき、その携帯機の管理記号が報知手段により報知される。このため、ユーザは、登録済の自身所有の携帯機を利用する際、報知手段による報知を通じて、その携帯機の管理記号を知ることができる。従って、自身所有の携帯機の管理記号をユーザに覚えさせることができる。
【０００８】
請求項２に記載の発明は、請求項１に記載のドア施解錠制御装置において、登録済の携帯機が利用されることでドアの解錠が許可されたとき、そのドアを介した室外から室内への進入が許容されるとともに、こうした入室後に室内側から前記ドアを施錠する目的でユーザが用いる室内側施錠用途手段に前記報知手段が設けられ、前記報知手段は、該入室に先立って登録済の携帯機が利用されたとき、その携帯機が利用されてから前記室内側施錠用途手段が用いられるまでの期間に亘って、その携帯機の管理記号を報知することをその要旨としている。
【０００９】
同構成によると、ユーザは、登録済の携帯機を利用することで解錠が許可されたドアを介して室外から室内へ進入するとともに、こうした入室後には、室内側施錠用途手段を用いてドアを施錠する。そして、こうした一連の動作の中で、ドアの解錠に供した自身所有の携帯機の管理記号が、ドアの施錠に供する室内側施錠用途手段に設けられる報知手段により報知され、しかも室内側施錠用途手段を用いるまで報知され続けられる。つまり、解錠後には施錠が伴うことを考えると、ユーザは、解錠に供した自身所有の携帯機の管理記号に関する報知を、ドアを施錠する段階で受けることになる。従って、このような機会を与えることで、自身所有の携帯機の管理記号をユーザに確実に覚えさせることができる。
【００１０】
請求項３に記載の発明は、請求項２に記載のドア施解錠制御装置において、前記室内側施錠用途手段に設けられる前記報知手段は、前記携帯機の管理記号を表示により報知する表示手段であることをその要旨としている。
【００１１】
同構成によると、携帯機の管理記号が音ではなく表示により報知されることから、室外に存在する第三者にその情報が漏れるようなことを防止できる。従って、秘匿性を向上できる。
【００１２】
請求項４に記載の発明は、請求項１〜請求項３のいずれか１項に記載のドア施解錠制御装置において、登録済の携帯機によるドアの施解錠を許容、つまり登録済の携帯機の登録を有効にするとともに、登録済の携帯機によるドアの施解錠を一時的に禁止、つまり登録済の携帯機の登録を一時的に無効にする登録有効／無効設定手段を備えていることをその要旨としている。
【００１３】
同構成によると、例えば、登録済の携帯機を紛失したような場合、その携帯機の登録を一時的に無効にするとともに、その携帯機が後に見付かったような場合、その携帯機の登録をすぐさま有効にすることが可能となる。従って、紛失した携帯機の登録を抹消した後でその携帯機が見付かったような場合において登録をし直す必要がなく、よって簡便である。
【発明の効果】
【００１４】
本発明は、以上のように構成されているため、次のような効果を奏する。
本発明によれば、自身所有の携帯機の管理記号をユーザに覚えさせることができる。
【発明を実施するための最良の形態】
【００１５】
（第１実施形態）
以下、本発明を具体化した第１実施形態について説明する。
図１に示すように、住宅のドアに適用されるドア施解錠制御システム１は、家人が所有する携帯機２と、住宅側に設けられるドア施解錠制御装置３とを備えるとともに、両者間での双方向通信が可能である。
【００１６】
携帯機２はトランスポンダ２１を備えるとともに、そのトランスポンダ２１は、ドア施解錠制御装置３から送信されてくる起動用電波から電力を賄うことによって、トランスポンダ２１毎、つまり携帯機２毎に個別に設定されたＩＤコード（携帯機２のＩＤコード）を含む信号（ＩＤコード信号）を所定周波数の電波に変調してそれを送信する。
【００１７】
ドア施解錠制御装置３は、ドアの室外側の面に設けられる室外アンテナユニット３０、ドアに内蔵されるコントローラ４０、室内側のドア近くに設けられる室内操作盤５０を備えている。
【００１８】
室外アンテナユニット３０は、送受信回路３１、送受信アンテナ３２を備えている。送受信回路３１は、コントローラ４０からトランスポンダ起動用信号が入力されたとき、それを基にした所定周波数の電波（起動用電波）を生成するとともに、送受信アンテナ３２は、この起動用電波を送信するための媒体として機能する。尚、起動用電波は、ドアの室外側において室外アンテナユニット３０を中心とした半径約２ｃｍ〜５ｃｍの領域内という極めて狭い領域内に及ぶように送信される。そして、この領域内において、携帯機２とドア施解錠制御装置３との間での双方向通信が可能となっている。
【００１９】
つまり、この領域内に起動用電波が送信されている状態で、その領域内に携帯機２が持ち込まれたとき、言い換えると、室外アンテナユニット３０に対して携帯機２が翳されたとき、その携帯機２により起動用電波が受信されて同携帯機２からＩＤコード信号が送信されるようになっている。尚、このような極めて狭い領域内において、双方向通信が適切に行われるようにするべく、室外アンテナユニット３０には、携帯機２を翳すときの目安となる意匠部が設けられている。
【００２０】
前記送受信アンテナ３２は、携帯機２から送信されてくるＩＤコード信号を受信するための媒体としても機能するとともに、前記送受信回路３１は、送受信アンテナ３２により受信されたＩＤコード信号を復調して受信信号を生成しそれをコントローラ４０に出力する。
【００２１】
コントローラ４０は、ＣＰＵ４１、ＥＥＰＲＯＭ４２を備えるとともに、ＥＥＰＲＯＭ４２には、コントローラ４０が内蔵されているドアに適合する携帯機２（＝正規の携帯機２）のＩＤコードと同一のＩＤコード（基準ＩＤコード）が記憶されている。本実施形態では、正規の携帯機２として複数（本実施形態では８個）の携帯機２が用意されている。尚、説明の便宜上、これら８個の携帯機２を携帯機２Ａ〜２Ｈと規定するとともに、携帯機２ＡのＩＤコードと同一のＩＤコードを第１の基準ＩＤコードと規定し、以下、同様に、携帯機２Ｂ（２Ｃ〜２Ｈ）のＩＤコードと同一のＩＤコードを第２（第３〜第８）の基準ＩＤコードと規定する。
【００２２】
そして、ＣＰＵ４１は、第１の基準ＩＤコードと同一のＩＤコードが設定されている携帯機２、つまり携帯機２Ａを管理記号「１」を用いて管理するとともに、以下、同様に、第２（第３〜第８）の基準ＩＤコードと同一のＩＤコードが設定されている携帯機２、つまり携帯機２Ｂ（２Ｃ〜２Ｈ）を管理記号「２（３〜８）」を用いて管理する。
【００２３】
ＣＰＵ４１は、ドアの近くに正規の携帯機２が存在しているかどうかを監視するため、ドアが閉まっている旨がドア開閉検知スイッチ４３で検出されていることを条件として、送受信回路３１にトランスポンダ起動用信号を出力する。つまり、この場合、ＣＰＵ４１は、携帯機存在有無監視制御を実行する。その結果、送受信アンテナ３２から起動用電波が送信される。
【００２４】
ＣＰＵ４１は、携帯機存在有無監視制御を実行したことに伴って、送受信回路３１からＩＤコード信号に関する受信信号が入力されたとき、その受信信号に含まれているＩＤコードと第１の基準ＩＤコード〜第８の基準ＩＤコードのいずれかとが一致しているか否かを判断する。つまり、この場合、ＣＰＵ４１は、ＩＤコード照合を実行する。そして、ＣＰＵ４１は、ＩＤコード照合により両ＩＤコードが一致したとき、正規の携帯機２が利用された旨を認識するとともに、ドアが施錠されていればドアを解錠するべく、モータドライバ４４，４５に解錠指令信号を出力し、ドアが解錠されていればドアを施錠するべく、モータドライバ４４，４５に施錠指令信号を出力する。
【００２５】
その結果、モータドライバ４４は、ＣＰＵ４１から解錠指令信号が入力されたとき、メイン電動サムターン４６を解錠側へ駆動するとともに、ＣＰＵ４１から施錠指令信号が入力されたとき、メイン電動サムターン４６を施錠側へ駆動する。また、モータドライバ４５は、ＣＰＵ４１から解錠指令信号が入力されたとき、サブ電動サムターン４７を解錠側へ駆動するとともに、ＣＰＵ４１から施錠指令信号が入力されたとき、サブ電動サムターン４７を施錠側へ駆動する。
【００２６】
尚、ＣＰＵ４１は、前記ＩＤコード照合により両ＩＤコードが一致したとき、送受信回路３１から入力された受信信号に含まれているＩＤコードが、どの基準ＩＤコード（第１の基準ＩＤコード〜第８の基準ＩＤコードのいずれか）と一致したのかを特定することで、正規の携帯機２として携帯機２Ａ〜２Ｈのいずれが利用されたのかを特定する。
【００２７】
そして、ＣＰＵ４１は、メイン電動サムターン４６に内蔵されている解錠状態検出スイッチ及びサブ電動サムターン４７に内蔵されている解錠状態検出スイッチがいずれもＯＮしているとき、ドアが完全に解錠されている旨を認識する。そして、ＣＰＵ４１は、このように認識したとき、ドアの解錠が完了されたものとして扱い、室外アンテナユニット３０の解錠状態報知用ＬＥＤ３３を５秒間点灯するとともに、施錠状態から解錠状態へ移行した旨及び解錠に供された正規の携帯機２の管理記号を室内操作盤５０に通知する。
【００２８】
室内操作盤５０のＣＰＵ５１は、ＣＰＵ４１からこうした通知を受けたとき、施解錠状態報知用ＬＥＤ５２を点灯することでドアが解錠状態であることを報知するとともに、７セグメントＬＥＤ５３を通じて携帯機２の管理記号を表示する。例えば、解錠に供された携帯機２として携帯機２Ａが利用されたのであれば、携帯機２Ａの管理記号「１」が７セグメントＬＥＤ５３に表示されることになる。同様に、解錠に供された携帯機２として携帯機２Ｂ（２Ｃ〜２Ｈ）が利用されたのであれば、携帯機２Ｂ（２Ｃ〜２Ｈ）の管理記号「２（３〜８）」が７セグメントＬＥＤ５３に表示されることになる。
【００２９】
尚、ＣＰＵ４１は、上記のようにしてドアの解錠が完了されたとき、その旨を音により報知するべく、音声回路４８を通じて室外アンテナユニット３０のスピーカ３５を作動させるようになっている。例えば、玄関ドアの解錠が完了された段階で、スピーカ３５から「おかえりなさい」といった音声メッセージを発するようにすれば、帰宅したユーザに対するお迎え機能が実現されることになる。
【００３０】
そして、帰宅したことに伴って室外側において正規の携帯機２を供することでドアの解錠が完了されたとき、ユーザは、そのドアを介した室外から室内への進入が許容されるとともに、こうした入室後には、ドアを施錠するべく、ドアが閉まったことを確認した後、室内操作盤５０の「押す」スイッチ５４を操作する。
【００３１】
このようにして「押す」スイッチ５４が操作されたとき、ＣＰＵ５１は、「押す」スイッチ５４が操作された旨をコントローラ４０に通知する。
コントローラ４０のＣＰＵ４１は、ＣＰＵ５１からこうした通知を受けたとき、ドアが施錠されていればドアを解錠するべく、モータドライバ４４，４５に解錠指令信号を出力するとともに、ドアが解錠されていればドアを施錠するべく、モータドライバ４４，４５に施錠指令信号を出力する。今回の場合は、ドアが解錠されているので、ＣＰＵ４１は、ドアを施錠するべく、モータドライバ４４，４５に施錠指令信号を出力することになる。その結果、モータドライバ４４によりメイン電動サムターン４６が施錠側へ駆動されるとともに、モータドライバ４５によりサブ電動サムターン４７が施錠側へ駆動される。
【００３２】
そして、ＣＰＵ４１は、メイン電動サムターン４６に内蔵されている施錠状態検出スイッチ及びサブ電動サムターン４７に内蔵されている施錠状態検出スイッチがいずれもＯＮしているとき、ドアが完全に施錠されている旨を認識する。そして、ＣＰＵ４１は、このように認識したとき、ドアの施錠が完了されたものとして扱い、室外アンテナユニット３０の施錠状態報知用ＬＥＤ３４を５秒間点灯するとともに、解錠状態から施錠状態へ移行した旨を室内操作盤５０に通知する。
【００３３】
室内操作盤５０のＣＰＵ５１は、ＣＰＵ４１からこうした通知を受けたとき、施解錠状態報知用ＬＥＤ５２を消灯することでドアが施錠状態であることを報知するとともに、７セグメントＬＥＤ５３を消灯する。
【００３４】
つまり、７セグメントＬＥＤ５３を通じた携帯機２の管理記号の表示は、正規の携帯機２が供されてドアが解錠されてから「押す」スイッチ５４が供されてドアが施錠されるまでの期間に亘って行われるようになっている。そして、７セグメントＬＥＤ５３は、ドアを施錠する目的で操作される「押す」スイッチ５４を有する室内操作盤５０（室内側施錠用途手段）に設けられていることから、ユーザが「押す」スイッチ５４を操作する段階で、そのユーザが７セグメントＬＥＤ５３による表示を必ず目にすることができるように配慮されている。別の言い方をすると、解錠に供した自身所有の携帯機２の管理記号をユーザに覚えさせるための工夫が凝らされていると言える。
【００３５】
尚、ＣＰＵ４１は、上記のようにしてドアの施錠が完了されたとき、その旨を音により報知するべく、音声回路４８を通じて室外アンテナユニット３０のスピーカ３５を作動させるようになっている。例えば、スピーカ３５から「施錠しました」といった音声メッセージが発せられるようになっている。
【００３６】
ところで、外出するような場合には、ユーザは、施錠されているドアを解錠するべく、室内操作盤５０の「押す」スイッチ５４を操作する。
このようにして「押す」スイッチ５４が操作されたとき、ＣＰＵ５１は、「押す」スイッチ５４が操作された旨をコントローラ４０に通知する。
【００３７】
コントローラ４０のＣＰＵ４１は、今回の場合のようにドアが施錠されている状態で、ＣＰＵ５１からこうした通知を受けたとき、ドアを解錠するべく、モータドライバ４４，４５に解錠指令信号を出力する。その結果、モータドライバ４４によりメイン電動サムターン４６が解錠側へ駆動されるとともに、モータドライバ４５によりサブ電動サムターン４７が解錠側へ駆動される。
【００３８】
そして、ＣＰＵ４１は、ドアの解錠が完了されたとき、室外アンテナユニット３０の解錠状態報知用ＬＥＤ３３を５秒間点灯するとともに、施錠状態から解錠状態へ移行した旨及び「押す」スイッチ５４が解錠に供された旨を室内操作盤５０に通知する。
【００３９】
室内操作盤５０のＣＰＵ５１は、ＣＰＵ４１からこうした通知を受けたとき、施解錠状態報知用ＬＥＤ５２を点灯することでドアが解錠状態であることを報知するとともに、７セグメントＬＥＤ５３を通じて「９」を表示する。つまり、正規の携帯機２（携帯機２Ａ〜２Ｈのいずれか）が解錠に供された場合には、７セグメントＬＥＤ５３を通じて「１」〜「８」のいずれかが表示されることになるが、「押す」スイッチ５４が解錠に供された場合には、「１」〜「８」以外の態様での表示が行われるようになっている。
【００４０】
そして、外出することに伴って室内側において「押す」スイッチ５４を供することでドアの解錠が完了されたとき、ユーザは、そのドアを介した室内から室外への進出が許容されるとともに、こうした退室後には、ドアを施錠するべく、ドアが閉まったことを確認した後、室外アンテナユニット３０の意匠部に自身所有の正規の携帯機２を翳す。
【００４１】
このようにして正規の携帯機２が翳されたとき、その携帯機２と室外アンテナユニット３０との間で双方向通信が行われるとともに、同携帯機２からＩＤコード信号が送信される。
【００４２】
そして、このＩＤコード信号が送受信アンテナ３２で受信されるとともに、送受信回路３１からコントローラ４０のＣＰＵ４１にＩＤコード信号に関する受信信号が出力される。そして、ＣＰＵ４１は、ＩＤコード照合を通じて正規の携帯機２が利用された旨を認識したとき、今回の場合は、ドアが解錠されているので、ドアを施錠するべく、モータドライバ４４，４５に施錠指令信号を出力する。その結果、モータドライバ４４によりメイン電動サムターン４６が施錠側へ駆動されるとともに、モータドライバ４５によりサブ電動サムターン４７が施錠側へ駆動される。
【００４３】
そして、ＣＰＵ４１は、メイン電動サムターン４６に内蔵されている施錠状態検出スイッチ及びサブ電動サムターン４７に内蔵されている施錠状態検出スイッチがいずれもＯＮしているとき、ドアが完全に施錠されている旨を認識する。そして、ＣＰＵ４１は、このように認識したとき、ドアの施錠が完了されたものとして扱い、室外アンテナユニット３０の施錠状態報知用ＬＥＤ３４を５秒間点灯するとともに、解錠状態から施錠状態へ移行した旨を室内操作盤５０に通知する。
【００４４】
室内操作盤５０のＣＰＵ５１は、ＣＰＵ４１からこうした通知を受けたとき、施解錠状態報知用ＬＥＤ５２を消灯することでドアが施錠状態であることを報知するとともに、７セグメントＬＥＤ５３を消灯する。
【００４５】
尚、メイン電動サムターン４６及びサブ電動サムターン４７は、いずれもユーザによる手動操作により解錠側へ動かすことができるようになっている。そこで、外出するような場合において、ユーザが、施錠されているドアを解錠するべく、室内操作盤５０の「押す」スイッチ５４を操作する代わりに、メイン電動サムターン４６及びサブ電動サムターン４７を手動操作により解錠側へ動かす場合を想定する。
【００４６】
このようにしてメイン電動サムターン４６及びサブ電動サムターン４７が手動操作により解錠側へ動かされたとき、やがて、メイン電動サムターン４６に内蔵されている解錠状態検出スイッチ及びサブ電動サムターン４７に内蔵されている解錠状態検出スイッチがいずれもＯＮされることになる。こうしたときＣＰＵ４１は、手動操作による解錠が完了されたものとして扱い、室外アンテナユニット３０の解錠状態報知用ＬＥＤ３３を５秒間点灯するとともに、施錠状態から解錠状態へ移行した旨及び手動操作により解錠された旨を室内操作盤５０に通知する。
【００４７】
室内操作盤５０のＣＰＵ５１は、ＣＰＵ４１からこうした通知を受けたとき、施解錠状態報知用ＬＥＤ５２を点灯することでドアが解錠状態であることを報知するとともに、７セグメントＬＥＤ５３を通じて「Ｈ」を表示する。つまり、正規の携帯機２（携帯機２Ａ〜２Ｈのいずれか）や「押す」スイッチ５４が解錠に供された場合には、７セグメントＬＥＤ５３を通じて「１」〜「９」のいずれかが表示されることになるが、手動操作により解錠された場合には、「１」〜「９」以外の態様での表示が行われるようになっている。
【００４８】
そして、外出することに伴って室内側において手動操作によるドアの解錠が完了されたとき、ユーザは、そのドアを介した室内から室外への進出が許容されるとともに、こうした退室後には、ドアを施錠するべく、ドアが閉まったことを確認した後、室外アンテナユニット３０の意匠部に自身所有の正規の携帯機２を翳す。これ以後の動作は、既に説明した内容と同様であるため割愛する。
【００４９】
ちなみに、室外側において正規の携帯機２を供することに代えて、メカニカルキーを用いた手動操作によりドアを解錠できるようになっている。そこで、帰宅したような場合において、ユーザが、施錠されているドアを解錠するべく、自身所有の正規の携帯機２を室外アンテナユニット３０の意匠部に翳す代わりに、普段は目隠しされているキー穴にメカニカルキーを差し込んでそれを解錠側へ回動させる場合を想定する。
【００５０】
このようにしてメカニカルキーが解錠側へ回動されたとき、やがて、メイン電動サムターン４６に内蔵されている解錠状態検出スイッチ及びサブ電動サムターン４７に内蔵されている解錠状態検出スイッチがいずれもＯＮされることになる。こうしたときＣＰＵ４１は、手動操作による解錠が完了されたものとして扱い、室外アンテナユニット３０の解錠状態報知用ＬＥＤ３３を５秒間点灯するとともに、施錠状態から解錠状態へ移行した旨及び手動操作により解錠された旨を室内操作盤５０に通知する。
【００５１】
室内操作盤５０のＣＰＵ５１は、ＣＰＵ４１からこうした通知を受けたとき、施解錠状態報知用ＬＥＤ５２を点灯することでドアが解錠状態であることを報知するとともに、７セグメントＬＥＤ５３を通じて「Ｈ」を表示する。これ以後の動作は、既に説明した内容と同様であるため割愛する。
【００５２】
次に、ドアに対して携帯機２を登録する方法について説明する。
例えば８個の携帯機２（２Ａ〜２Ｈ）を登録したい場合、まず室内操作盤５０の８連ディップスイッチ５５を構成する８つのスイッチを全て有効側に設定した後、コントローラ４０の登録スイッチ４９を操作する。尚、８連ディップスイッチ５５を構成する８つのスイッチの各々は、有効側と無効側とに選択的に設定できるようになっている。
【００５３】
さて、登録スイッチ４９を操作すると、室外アンテナユニット３０のスピーカ３５から「１番のキーを翳して下さい」との音声メッセージが流れる。そして、これに従って、管理記号「１」として登録したい携帯機２（携帯機２Ａ）を室外アンテナユニット３０の意匠部に翳すと、今度は「２番のキーを翳して下さい」との音声メッセージが流れる。そして、これに従って、管理記号「２」として登録したい携帯機２（携帯機２Ｂ）を室外アンテナユニット３０の意匠部に翳すと、今度は「３番のキーを翳して下さい」との音声メッセージが流れる。
【００５４】
そして、こうしたことを順に繰り返すことで、やがて管理記号「７」として登録したい携帯機２（携帯機２Ｇ）を室外アンテナユニット３０の意匠部に翳すと、今度は「８番のキーを翳して下さい」との音声メッセージが流れる。そして、これに従って、管理記号「８」として登録したい携帯機２（携帯機２Ｈ）を室外アンテナユニット３０の意匠部に翳すと、今度は「登録スイッチを押して下さい」との音声メッセージが流れる。
【００５５】
そして、これに従って、登録スイッチ４９を操作すると、「８本の登録を終了しました」との音声メッセージが流れる。そして、これにてドアに対する８個の携帯機２（２Ａ〜２Ｈ）の登録が完了する。
【００５６】
その結果、ＣＰＵ４１により携帯機２Ａが管理記号「１」で管理されるとともに、以下、同様に、携帯機２Ｂ（２Ｃ〜２Ｈ）が管理記号「２（３〜８）」で管理されるようになっている。そして、こうした登録済の携帯機２Ａ〜２Ｈを利用することで、上記した流れに沿ってドアの施解錠を行えるようになっている。そして、解錠に供された携帯機２の管理記号が７セグメントＬＥＤ５３を通じて表示されるようになっている。
【００５７】
次に、登録済の携帯機２の登録を一時的に無効にする方法について説明する。
上記したように解錠に供された携帯機２の管理記号が７セグメントＬＥＤ５３を通じて表示されることから、ユーザは、自身所有の携帯機２を利用してドアを解錠したとき、その携帯機２の管理記号を知ることができる。
【００５８】
そして、こうしたことを前提として、自身所有の携帯機２（例えば携帯機２Ａ）を紛失した場合、ユーザは、携帯機２Ａの管理記号「１」に対応するスイッチ（８連ディップスイッチ５５を構成する８つのスイッチのうちの第１番目のスイッチ）を無効側に設定する。
【００５９】
すると、ＣＰＵ５１は、こうした設定内容をコントローラ４０に通知する。
コントローラ４０のＣＰＵ４１は、ＣＰＵ５１からこうした通知を受けたとき、８連ディップスイッチ５５を構成する８つのスイッチのうちの第１番目のスイッチに関連付けされている携帯機２、つまり携帯機２Ａの登録を一時的に無効にする。即ち、この場合、ＣＰＵ４１は、ＥＥＰＲＯＭ４２に記憶されている第１の基準ＩＤコードを消去する訳ではなく、それを記憶したまま維持するも、携帯機２Ａによるドアの施解錠を一時的に禁止する。これにより、携帯機２Ａを拾得した第三者が携帯機２Ａを利用したところで、ドアの施解錠ができないようになっている。
【００６０】
尚、携帯機２Ａを紛失したことに伴って、上記のように携帯機２Ａの登録を一時的に無効にした後、その携帯機２Ａが見付かったような場合には、８連ディップスイッチ５５を構成する８つのスイッチのうちの第１番目のスイッチを無効側から有効側に切替設定する。そうすることにより、登録が一時的に無効となっていた携帯機２Ａの登録が再び有効となり、よって携帯機２Ａによるドアの施解錠が許容されることとなる。
【００６１】
次に、登録済の携帯機２の登録を抹消する方法について説明する。
例えば、携帯機２Ａだけの登録を抹消したい場合、まず８連ディップスイッチ５５を構成する８つのスイッチのうちの第１番目のスイッチのみを有効側に設定した後、コントローラ４０の登録スイッチ４９を操作する。
【００６２】
すると、室外アンテナユニット３０のスピーカ３５から「１番のキーを翳して下さい」との音声メッセージが流れる。そして、これに従って携帯機２を翳した場合、その携帯機２が登録されてしまうので、ここでは携帯機２を翳さず、もう一度登録スイッチ４９を操作する。
【００６３】
すると、「１本の抹消を終了しました」との音声メッセージが流れる。そして、これにて、それまで登録されていた携帯機２Ａの登録の抹消が完了する。即ち、この場合、ＣＰＵ４１は、ＥＥＰＲＯＭ４２に記憶されている第１の基準ＩＤコードを消去する。これにより、携帯機２Ａによるドアの施解錠ができないようになっている。
【００６４】
尚、上記のように携帯機２Ａの登録を抹消した後、その携帯機２Ａを再び登録すれば、携帯機２Ａによるドアの施解錠が許容されることとなる。
以上、詳述したように本実施形態によれば、次のような作用、効果を得ることができる。
【００６５】
（１）登録済の携帯機２が利用されたとき、その携帯機２の管理記号が７セグメントＬＥＤ５３により報知される。このため、ユーザは、登録済の自身所有の携帯機２を利用する際、７セグメントＬＥＤ５３による報知を通じて、その携帯機２の管理記号を知ることができる。従って、自身所有の携帯機２の管理記号をユーザに覚えさせることができる。
【００６６】
（２）ユーザは、登録済の携帯機２を利用することで解錠が許可されたドアを介して室外から室内へ進入するとともに、こうした入室後には、室内操作盤５０を用いてドアを施錠する。そして、こうした一連の動作の中で、ドアの解錠に供した自身所有の携帯機２の管理記号が、ドアの施錠に供する室内操作盤５０に設けられる７セグメントＬＥＤ５３により報知され、しかも室内操作盤５０を用いるまで報知され続けられる。つまり、解錠後には施錠が伴うことを考えると、ユーザは、解錠に供した自身所有の携帯機２の管理記号に関する報知を、ドアを施錠する段階で受けることになる。従って、このような機会を与えることで、自身所有の携帯機２の管理記号をユーザに確実に覚えさせることができる。
【００６７】
（３）携帯機２の管理記号が音ではなく７セグメントＬＥＤ５３を通じた表示により報知されることから、室外に存在する第三者にその情報が漏れるようなことを防止できる。従って、秘匿性を向上できる。
【００６８】
（４）例えば、登録済の携帯機２を紛失したような場合、その携帯機２の登録を８連ディップスイッチ５５を通じて一時的に無効にするとともに、その携帯機２が後に見付かったような場合、その携帯機２の登録を８連ディップスイッチ５５を通じてすぐさま有効にすることが可能となる。従って、紛失した携帯機２の登録を抹消した後でその携帯機２が見付かったような場合において登録をし直す必要がなく、よって簡便である。
【００６９】
（５）ユーザにしてみれば、自身所有の携帯機２の管理記号を知るための特別な操作を何ら行うことなく、普段通りの施解錠に関する一連の動作の中でそれを自然な形で知ることができる。従って、自身所有の携帯機２を紛失したような場合でも、その携帯機２の登録を一時的に無効にしたり、登録を抹消したりすることを容易に行うことができる。
【００７０】
（６）７セグメントＬＥＤ５３による報知を通じて、ドアを解錠したときに用いた手段（携帯機２Ａ〜２Ｈ、「押す」スイッチ５４、手動操作）が明確になるため、ユーザによる解錠手段に関する勘違いを防止できるとともに、これによりメーカや販売店に対する問い合わせの頻度が減少することが予想され、よってメーカ側や販売店側の負担を軽減できる。
【００７１】
（７）７セグメントＬＥＤ５３及び「押す」スイッチ５４は、いずれも室内操作盤５０に設けられていることから、ユーザは、「押す」スイッチ５４を操作してドアを施錠する段階で、７セグメントＬＥＤ５３による表示を必ず目にすることができる。従って、解錠に供した自身所有の携帯機２の管理記号をユーザに確実に覚えさせることができる。
【００７２】
（８）携帯機２の登録を一時的に無効にしたい場合、登録スイッチ４９を操作しなくてもよく、８連ディップスイッチ５５を構成するスイッチを無効側に設定するだけで事が足りるので、極めて簡単である。同様に、携帯機２の登録を無効から有効に復活させたい場合にも、登録スイッチ４９を操作しなくてもよく、８連ディップスイッチ５５を構成するスイッチを有効側に設定するだけで事が足りるので、これまた極めて簡単である。
【００７３】
（９）外出する場合において、室外アンテナユニット３０の意匠部に携帯機２を翳すことでドアを施錠するようにし、いわば携帯機２の持ち出しを義務付けているので、携帯機２を室内に置いたままドアを施錠して外出してしまう、いわゆるインロック（携帯機２の置き忘れ）を防止できる。
【００７４】
（１０）室外側からドアを解錠する場合において携帯機２（電子キー）に代えてメカニカルキーを用いるとき、普段は目隠しされているキー穴にメカニカルキーを差し込むことになる。つまり、こうしたとき、ユーザのみがキー穴の存在を知っている訳であり、よって高いセキュリティレベルを得ることができる。
【００７５】
（１１）室外アンテナユニット３０には、携帯機２を翳すときの目安となる意匠部が設けられているので、そこに向けて携帯機２を翳せばよいことをユーザは一瞥して理解できる。
【００７６】
（１２）「おかえりなさい」等のお迎え機能を実現することで、ユーザに対して自分だけが特別扱いされているような印象を与えることができる。尚、基準ＩＤコードとユーザ名とを関連付けして記憶しておけば、「Ａさんおかえりなさい」等という音声メッセージが発せられるようにすることも可能であり、こうしたとき更なる好印象を与えることができる。
【００７７】
（１３）液晶による大画面での表示手法を用いれば、携帯機２の管理記号に加えて他の情報（ユーザ名等）を表示することも可能であるが、本実施形態では、７セグメントＬＥＤ５３による必要最小限度の表示に留めている。従って、室内操作盤５０の小型軽量化に貢献できるとともに、よってドア周辺に圧迫感のようなものは生まれない。
【００７８】
（第２実施形態）
次に、本発明の第２実施形態について説明する。
図２に示すように、本実施形態のドア施解錠制御システム１は、携帯機２（図１に示される第１実施形態の携帯機２と同様）とドア施解錠制御装置３とを備えるとともに、両者間での双方向通信が可能である。
【００７９】
本実施形態のドア施解錠制御装置３は、室外アンテナユニット３０（第１実施形態の室外アンテナユニット３０と同様）、コントローラ４０、第１実施形態の室内操作盤５０に代わるものとしてドアの室内側の面に設けられる室内アンテナユニット６０を備えている。
【００８０】
室内アンテナユニット６０は、送受信回路６１、送受信アンテナ６２、第１実施形態の７セグメントＬＥＤ５３と同様の７セグメントＬＥＤ６３を備えている。送受信回路６１は、コントローラ４０からトランスポンダ起動用信号が入力されたとき、それを基にした所定周波数の電波（起動用電波）を生成するとともに、送受信アンテナ６２は、この起動用電波を送信するための媒体として機能する。尚、起動用電波は、ドアの室内側において室内アンテナユニット６０を中心とした半径約２ｃｍ〜５ｃｍの領域内という極めて狭い領域内に及ぶように送信される。そして、この領域内において、携帯機２とドア施解錠制御装置３との間での双方向通信が可能となっている。
【００８１】
つまり、この領域内に起動用電波が送信されている状態で、その領域内に携帯機２が持ち込まれたとき、言い換えると、室内アンテナユニット６０に対して携帯機２が翳されたとき、その携帯機２により起動用電波が受信されて同携帯機２からＩＤコード信号が送信されるようになっている。尚、このような極めて狭い領域内において、双方向通信が適切に行われるようにするべく、室内アンテナユニット６０には、携帯機２を翳すときの目安となる意匠部が設けられている。
【００８２】
前記送受信アンテナ６２は、携帯機２から送信されてくるＩＤコード信号を受信するための媒体としても機能するとともに、前記送受信回路６１は、送受信アンテナ６２により受信されたＩＤコード信号を復調して受信信号を生成しそれをコントローラ４０に出力する。
【００８３】
本実施形態においてコントローラ４０のＣＰＵ４１は、ドアの近くに正規の携帯機２が存在しているかどうかを監視するため、ドアが閉まっている旨がドア開閉検知スイッチ４３で検出されていることを条件として、送受信回路３１にトランスポンダ起動用信号を出力するとともに、送受信回路６１にもトランスポンダ起動用信号を出力する。つまり、この場合、ＣＰＵ４１は、携帯機存在有無監視制御を実行する。その結果、送受信アンテナ３２や送受信アンテナ６２から起動用電波が送信される。
【００８４】
ＣＰＵ４１は、携帯機存在有無監視制御を実行したことに伴って、送受信回路３１や送受信回路６１からＩＤコード信号に関する受信信号が入力されたとき、その受信信号に含まれているＩＤコードと第１の基準ＩＤコード〜第８の基準ＩＤコードのいずれかとが一致しているか否かを判断する。つまり、この場合、ＣＰＵ４１は、ＩＤコード照合を実行する。そして、ＣＰＵ４１は、ＩＤコード照合により両ＩＤコードが一致したとき、正規の携帯機２が利用された旨を認識するとともに、ドアが施錠されていればドアを解錠するべく、モータドライバ４４，４５に解錠指令信号を出力し、ドアが解錠されていればドアを施錠するべく、モータドライバ４４，４５に施錠指令信号を出力する。
【００８５】
その結果、モータドライバ４４は、ＣＰＵ４１から解錠指令信号が入力されたとき、メイン電動サムターン４６を解錠側へ駆動するとともに、ＣＰＵ４１から施錠指令信号が入力されたとき、メイン電動サムターン４６を施錠側へ駆動する。また、モータドライバ４５は、ＣＰＵ４１から解錠指令信号が入力されたとき、サブ電動サムターン４７を解錠側へ駆動するとともに、ＣＰＵ４１から施錠指令信号が入力されたとき、サブ電動サムターン４７を施錠側へ駆動する。
【００８６】
尚、ＣＰＵ４１は、前記ＩＤコード照合により両ＩＤコードが一致したとき、送受信回路３１から入力された受信信号に含まれているＩＤコードが、どの基準ＩＤコード（第１の基準ＩＤコード〜第８の基準ＩＤコードのいずれか）と一致したのかを特定することで、正規の携帯機２として携帯機２Ａ〜２Ｈのいずれが利用されたのかを特定する。
【００８７】
そして、ＣＰＵ４１は、メイン電動サムターン４６に内蔵されている解錠状態検出スイッチ及びサブ電動サムターン４７に内蔵されている解錠状態検出スイッチがいずれもＯＮしているとき、ドアが完全に解錠されている旨を認識する。そして、ＣＰＵ４１は、このように認識したとき、ドアの解錠が完了されたものとして扱い、室外アンテナユニット３０の解錠状態報知用ＬＥＤ３３を５秒間点灯するとともに、解錠に供された正規の携帯機２の管理記号を室内アンテナユニット６０の７セグメントＬＥＤ６３を通じて表示する。
【００８８】
例えば、解錠に供された携帯機２として携帯機２Ａが利用されたのであれば、携帯機２Ａの管理記号「１」が７セグメントＬＥＤ６３に表示されることになる。同様に、解錠に供された携帯機２として携帯機２Ｂ（２Ｃ〜２Ｈ）が利用されたのであれば、携帯機２Ｂ（２Ｃ〜２Ｈ）の管理記号「２（３〜８）」が７セグメントＬＥＤ６３に表示されることになる。
【００８９】
尚、ＣＰＵ４１は、上記のようにしてドアの解錠が完了されたとき、その旨を音により報知するべく、音声回路４８を通じて室外アンテナユニット３０のスピーカ３５を作動させるようになっている。例えば、玄関ドアの解錠が完了された段階で、スピーカ３５から「おかえりなさい」といった音声メッセージを発するようにすれば、帰宅したユーザに対するお迎え機能が実現されることになる。
【００９０】
そして、帰宅したことに伴って室外側において正規の携帯機２を供することでドアの解錠が完了されたとき、ユーザは、そのドアを介した室外から室内への進入が許容されるとともに、こうした入室後には、ドアを施錠するべく、ドアが閉まったことを確認した後、今度は室内アンテナユニット６０の意匠部に自身所有の正規の携帯機２を翳す。
【００９１】
このようにして正規の携帯機２が翳されたとき、その携帯機２と室内アンテナユニット６０との間で双方向通信が行われるとともに、同携帯機２からＩＤコード信号が送信される。
【００９２】
そして、このＩＤコード信号が送受信アンテナ６２で受信されるとともに、送受信回路６１からコントローラ４０のＣＰＵ４１にＩＤコード信号に関する受信信号が出力される。そして、ＣＰＵ４１は、ＩＤコード照合を通じて正規の携帯機２が利用された旨を認識したとき、今回の場合は、ドアが解錠されているので、ドアを施錠するべく、モータドライバ４４，４５に施錠指令信号を出力する。その結果、モータドライバ４４によりメイン電動サムターン４６が施錠側へ駆動されるとともに、モータドライバ４５によりサブ電動サムターン４７が施錠側へ駆動される。
【００９３】
そして、ＣＰＵ４１は、メイン電動サムターン４６に内蔵されている施錠状態検出スイッチ及びサブ電動サムターン４７に内蔵されている施錠状態検出スイッチがいずれもＯＮしているとき、ドアが完全に施錠されている旨を認識する。そして、ＣＰＵ４１は、このように認識したとき、ドアの施錠が完了されたものとして扱い、室外アンテナユニット３０の施錠状態報知用ＬＥＤ３４を５秒間点灯するとともに、室内アンテナユニット６０の７セグメントＬＥＤ６３を消灯する。
【００９４】
つまり、７セグメントＬＥＤ６３を通じた携帯機２の管理記号の表示は、正規の携帯機２が供されてドアが解錠されてから正規の携帯機２が供されてドアが施錠されるまでの期間に亘って行われるようになっている。そして、７セグメントＬＥＤ６３は、ドアを施錠する目的で正規の携帯機２が翳される室内アンテナユニット６０（室内側施錠用途手段）に設けられていることから、ユーザが正規の携帯機２を室内アンテナユニット６０の意匠部に翳す段階で、そのユーザが７セグメントＬＥＤ６３による表示を必ず目にすることができるように配慮されている。別の言い方をすると、解錠に供した自身所有の携帯機２の管理記号をユーザに覚えさせるための工夫が凝らされていると言える。
【００９５】
尚、ＣＰＵ４１は、上記のようにしてドアの施錠が完了されたとき、その旨を音により報知するべく、音声回路４８を通じて室外アンテナユニット３０のスピーカ３５を作動させるようになっている。例えば、スピーカ３５から「施錠しました」といった音声メッセージが発せられるようになっている。
【００９６】
ところで、外出するような場合には、ユーザは、施錠されているドアを解錠するべく、室内アンテナユニット６０の意匠部に自身所有の正規の携帯機２を翳す。
このようにして正規の携帯機２が翳されたとき、その携帯機２と室内アンテナユニット６０との間で双方向通信が行われるとともに、同携帯機２からＩＤコード信号が送信される。
【００９７】
そして、このＩＤコード信号が送受信アンテナ６２で受信されるとともに、送受信回路６１からコントローラ４０のＣＰＵ４１にＩＤコード信号に関する受信信号が出力される。そして、ＣＰＵ４１は、ＩＤコード照合を通じて正規の携帯機２が利用された旨を認識したとき、今回の場合は、ドアが施錠されているので、ドアを解錠するべく、モータドライバ４４，４５に解錠指令信号を出力する。その結果、モータドライバ４４によりメイン電動サムターン４６が解錠側へ駆動されるとともに、モータドライバ４５によりサブ電動サムターン４７が解錠側へ駆動される。
【００９８】
そして、ＣＰＵ４１は、ドアの解錠が完了されたとき、室外アンテナユニット３０の解錠状態報知用ＬＥＤ３３を５秒間点灯するとともに、解錠に供された正規の携帯機２の管理記号を室内アンテナユニット６０の７セグメントＬＥＤ６３を通じて表示する。
【００９９】
そして、外出することに伴って室内側において正規の携帯機２を供することでドアの解錠が完了されたとき、ユーザは、そのドアを介した室内から室外への進出が許容されるとともに、こうした退室後には、ドアを施錠するべく、ドアが閉まったことを確認した後、今度は室外アンテナユニット３０の意匠部に自身所有の正規の携帯機２を翳す。
【０１００】
このようにして正規の携帯機２が翳されたとき、その携帯機２と室外アンテナユニット３０との間で双方向通信が行われるとともに、同携帯機２からＩＤコード信号が送信される。
【０１０１】
そして、このＩＤコード信号が送受信アンテナ３２で受信されるとともに、送受信回路３１からコントローラ４０のＣＰＵ４１にＩＤコード信号に関する受信信号が出力される。そして、ＣＰＵ４１は、ＩＤコード照合を通じて正規の携帯機２が利用された旨を認識したとき、今回の場合は、ドアが解錠されているので、ドアを施錠するべく、モータドライバ４４，４５に施錠指令信号を出力する。その結果、モータドライバ４４によりメイン電動サムターン４６が施錠側へ駆動されるとともに、モータドライバ４５によりサブ電動サムターン４７が施錠側へ駆動される。
【０１０２】
そして、ＣＰＵ４１は、メイン電動サムターン４６に内蔵されている施錠状態検出スイッチ及びサブ電動サムターン４７に内蔵されている施錠状態検出スイッチがいずれもＯＮしているとき、ドアが完全に施錠されている旨を認識する。そして、ＣＰＵ４１は、このように認識したとき、ドアの施錠が完了されたものとして扱い、室外アンテナユニット３０の施錠状態報知用ＬＥＤ３４を５秒間点灯するとともに、室内アンテナユニット６０の７セグメントＬＥＤ６３を消灯する。
【０１０３】
尚、メイン電動サムターン４６及びサブ電動サムターン４７が室内側から手動操作により解錠側へ動かされた場合や、メカニカルキーが供されて室外側から手動操作による解錠が行われた場合、ＣＰＵ４１は、室内アンテナユニット６０の７セグメントＬＥＤ６３を通じて「Ｈ」を表示する。そして、こうした表示は、ドアが施錠されるまでの期間に亘って行われる。
【０１０４】
次に、ドアに対して携帯機２を登録する方法、登録済の携帯機２の登録を一時的に無効にする方法、登録済の携帯機２の登録を抹消する方法について説明する。
これらを行う場合、本実施形態では、第１実施形態の８連ディップスイッチ５５に代えてコントローラ４０の８連ディップスイッチ７５が用いられる。従って、これらに関する第１実施形態の説明のうち「８連ディップスイッチ５５」の記載を「８連ディップスイッチ７５」の記載に読み替えれば事が足りるため、ここでは詳しい説明を割愛する。
【０１０５】
以上、詳述したように本実施形態によれば、第１実施形態と同様の作用、効果を得ることができる。
尚、前記各実施形態は、次のように変更して具体化することも可能である。
【０１０６】
・携帯機２の管理記号を報知するに際して、７セグメントＬＥＤ５３，６３を通じた表示による報知に代えて又は加えて、音による報知を行ってもよい。つまり、報知手段は、表示手段に限定されず、スピーカのような鳴動手段であってもよい。
【０１０７】
・携帯機２に表示部や鳴動部等といった報知部を設けるとともに、その携帯機２が供されてドアが解錠されたとき、携帯機２がドア施解錠制御装置３からアンサーバック信号を受けることで、携帯機２の管理記号が携帯機２の報知部により報知されるようにしてもよい。
【０１０８】
・例えば、液晶による大画面での表示手法を用いて、携帯機２の管理記号に加えて他の情報（ユーザ名等）を表示するようにしてもよい。このようにすれば、表示画面を大型化することで多くの情報を表示できるとともに、これにより、携帯機２の管理記号をユーザにとって分かり易い態様で報知できるようになり、よって自身所有の携帯機２の管理記号をユーザに確実に覚えさせることができる。
【０１０９】
・携帯機２の管理記号として、前記各実施形態のような数字（管理番号）に代えて、アルファベットやカタカナ等を用いてもよい。尚、これに伴って、８連ディップスイッチ５５，７５を構成する８つのスイッチに同様のアルファベットやカタカナ等の表記が施されていると都合がよい。
【図面の簡単な説明】
【０１１０】
【図１】第１実施形態のドア施解錠制御システムの構成を示すブロック図。
【図２】第２実施形態のドア施解錠制御システムの構成を示すブロック図。
【符号の説明】
【０１１１】
２（２Ａ〜２Ｈ）…携帯機、３…ドア施解錠制御装置、５０…室内操作盤（室内側施錠用途手段）、５３，６３…７セグメントＬＥＤ（報知手段、表示手段）、５５，７５…８連ディップスイッチ（登録有効／無効設定手段）、６０…室内アンテナユニット（室内側施錠用途手段）。
【図１】
2008255712.tif 000003
【図２】
2008255712.tif 000004